(57)【要約】【課題】安心して他人にキーを貸し出すことができる電子キーシステムを提供する。【解決手段】車両３には車載端末４３〜４５が搭載され、これら車載端末４３〜４５は車載ＬＡＮ４６を通じてスマートＥＣＵ２０及びイモビＥＣＵ３３に接続されている。スマートＥＣＵ２０又はイモビＥＣＵ３３は外部から受信した信号（ＩＤコード信号、トランスポンダ信号）のコードと、メモリ２０ａ，３３ａのコードとを照合し、その照合結果に基づくアクセス権限情報を車載ＬＡＮ４６を介して車載端末４３〜４５に出力する。車載端末４３〜４５はアクセス権限情報を取り込み、その情報に基づき動作が制限された状態となる。【選択図】　　　　図１
2004025937.tif 000002
【特許請求の範囲】
【請求項１】
車両に搭載された車載端末を備えた電子キーシステムにおいて、
各々固有に持つ識別コードを出力する電子キーと、
前記電子キーの識別コードを外部から取り込み、前記識別コードと予め前記車両側に登録された識別コードとを照合する照合手段と、
前記照合手段の照合結果に基づき、前記電子キーの識別コードが前記車載端末の使用を制限する電子キーの識別コードであれば、前記車載端末の動作を制限する制御手段と
を備えたことを特徴とする電子キーシステム。
【請求項２】
前記車載端末は前記車両に複数搭載され、前記制御手段は前記識別コードに応じた前記車載端末の動作を制限することを特徴とする請求項１に記載の電子キーシステム。
【請求項３】
前記制御手段は前記車載端末の動作制限として、前記車載端末を使用不可能な状態にすることを特徴とする請求項１又は２に記載の電子キーシステム。
【請求項４】
前記電子キーはマスターキーの代わりとして使用されるサブキーであることを特徴とする請求項１〜３のうちいずれか一項に記載の電子キーシステム。
【発明の詳細な説明】
【０００１】
【発明の属する技術分野】
本発明は、電子キーと車両との間の無線通信により車両の所定動作がキー操作無しで実行される電子キーシステムに関するものである。
【０００２】
【従来の技術】
近年、渋滞緩和、排ガス低減、交通事故の低減等を目的として、情報技術（ＩＴ）を利用した高度道路交通システム（ＩＴＳ：Ｉｎｔｅｌｌｉｇｅｎｔ　Ｔｒａｎｓｐｏｒｔ　Ｓｙｓｔｅｍｓ　）が整備されている。このＩＴＳには適度な車両間隔を自動で保って必要に応じて運転者に警告する自動走行支援システム（ＡＨＳ）、有料道路の料金所で停止せずに通行料金が支払えるノンストップ自動料金収受システム（ＥＴＣ）がある。さらに、ＩＴＳにはカーナビゲーションシステム等の車載端末を使って運転者に渋滞情報等を提供する道路交通情報通信システム（ＶＩＣＳ）、車両を自動走行させる先進安全自動車（ＡＳＶ）もある。
【０００３】
このＩＴＳの利用に当たっては車両に種々の端末を搭載する必要があり、これら車載端末としては例えば前述したカーナビゲーションシステム、ＥＴＣ用車載器、緊急通報システム等がある。カーナビゲーションシステムは運転者を目的地まで誘導するシステムであり、電源が投入された作動時には個人情報の登録・閲覧・編集、軌跡表示、カスタマイズ化などの機能が実行可能となっている。
【０００４】
また、ＥＴＣ用車載器は有料道路の料金所ゲートに設置したアンテナと通信を行う機器である。また、緊急通報システムは運転中に交通事故や急病が発生した際に、救急・救助活動に必要な情報を救急センター等の適切な関係機関へ伝えるシステムである。救急通報システムは手動又はエアバックと連動し、運転中に交通事故や急病が発生した際に車両位置やＩＤ情報を救急センターに送信する。また、ＥＴＣ用車載器や緊急通報システムは電源が投入された作動時に、今までの利用履歴が表示可能となっている。
【０００５】
【発明が解決しようとする課題】
ところが、現在では車両のキーを貸し出した時点で車載端末は全て使用可能となり、車載端末として搭載されたナビゲーションシステム、ＥＴＣ用車載器、緊急通報システム等が使用可能となる。このため、他人にキーを貸したときにナビゲーションシステムが勝手に使用されて、個人情報を閲覧・編集、軌跡表示、カスタマイズ化される場合もある。また、同じようにＥＴＣ用車載器や緊急通報システムが使用されて、勝手に利用履歴を見られる場合もある。従って、車両の車庫入れや修理等のときに他人に安心してキーを貸し出せない問題があった。
【０００６】
本発明は前記の問題点に鑑みてなされたものであって、その目的は、安心して他人にキーを貸し出すことができる電子キーシステムを提供することにある。
【０００７】
【課題を解決するための手段】
上記問題点を解決するために、請求項１に記載の発明では、車両に搭載された車載端末を備えた電子キーシステムにおいて、各々固有に持つ識別コードを出力する電子キーと、前記電子キーの識別コードを外部から取り込み、前記識別コードと予め前記車両側に登録された識別コードとを照合する照合手段と、前記照合手段の照合結果に基づき、前記電子キーの識別コードが前記車載端末の使用を制限する電子キーの識別コードであれば、前記車載端末の動作を制限する制御手段とを備えたことを要旨とする。
【０００８】
この発明によれば、電子キーから出力される識別コードと、予め車両側に登録された識別コードとが照合手段によって照合される。そして、制御手段は電子キーの識別コードが車載端末の使用を制限する電子キーのコードであれば、車載端末の動作を制限する。従って、この電子キーを使用した場合には車載端末に使用制限がかけられるので、自由に車載端末を使用することができないので、他人にキーを貸し出すことがあっても、使用制限がかけられる電子キーを渡せば車載端末が勝手に使用されずに済み、安心して他人にキーを預けられる。
【０００９】
請求項２に記載の発明では、請求項１に記載の発明において、前記車載端末は前記車両に複数搭載され、前記制御手段は前記識別コードに応じた前記車載端末の動作を制限することを要旨とする。
【００１０】
この発明によれば、請求項１に記載の発明の作用に加え、車両に複数の車載端末が搭載された場合、制御手段は取り込んだ識別コードに応じた車載端末の動作を制限する。従って、車載端末が複数搭載された場合に全ての端末に使用制限がかけられるのではなく、これら車載端末のうち識別コードに応じた所定の車載端末のみに使用制限かけられ、使用制限に関して汎用性が増すことになる。
【００１１】
請求項３に記載の発明では、請求項１又は２に記載の発明において、前記制御手段は前記車載端末の動作制限として、前記車載端末を使用不可能な状態にすることを要旨とする。
【００１２】
この発明によれば、請求項１又は２に記載の発明の作用に加え、車載端末の動作制限として車載端末の使用が不可能な状態となるので、他人にキーを貸し出すときにこの電子キーを渡せば車載端末を他人に使用されずに済む。
【００１３】
請求項４に記載の発明では、請求項１〜３のうちいずれか一項に記載の発明において、前記電子キーはマスターキーの代わりとして使用されるサブキーであることを要旨とする。
【００１４】
この発明によれば、請求項１〜３のうちいずれか一項に記載の発明の作用に加え、サブキーから出力される識別コードに基づきコード照合が行われ、識別コードが一致したときには車載端末の使用に制限がかけられる。従って、他人にキーを貸し出す場合であっても、サブキーを渡せば車載端末に使用制限がかけられるので、安心して他人にキーを預けられる。
【００１５】
【発明の実施の形態】
以下、本発明を具体化した電子キーシステムの一実施形態を図１〜図３に従って説明する。
【００１６】
図２は、電子キーシステム１の全体構成を示す模式図である。電子キーシステム１はワイヤレスにより所定のキー操作を行うシステムであって、自由に持ち運び可能な電子キー２と、車両３に搭載されたコントローラ４とからなる。電子キー２とコントローラ４とは無線通信が可能であり、コントローラ４は車両３に搭載された各アンテナ５〜８を介してキー２と各種信号（電波）のやり取りをしている。
【００１７】
これらアンテナ５〜８には左右のドア９に設置されたコイルアンテナ５、運転席に設置されたコイルアンテナ６、受信用のアンテナ７、イモビライザー用のコイルアンテナ８がある。また、アンテナ５は領域Ｅ１内、アンテナ６は領域Ｅ２内、アンテナ８は領域Ｅ３内で電子キー２と無線通信可能となっている。アンテナ５〜８とコントローラ４とはそれぞれ信号線（通信ケーブル）で接続されている。
【００１８】
図３は、電子キー２を示す斜視図である。電子キー２にはマスターキー１０と複数（本例では３つ）のサブキー１１〜１３がある。マスターキー１０は車両３の所有者（運転者）が常に携帯するキーであり、サブキー１１〜１３は他人に貸し出せるキーである。また、これらキー１０〜１３は所定の鍵溝が形成されたキープレート１０ａ〜１３ａを有し、キープレート１０ａ〜１３ａをドアロック用シリンダやエンジン始動用シリンダ（ともに図示省略）に差し込んで回すことによりドアロックの解錠・施錠やエンジン始動が機械的に行える。
【００１９】
図１は、電子キーシステム１の電気的な構成図である。電子キーシステム１はスマートキーシステム１４を備えている。このスマートキーシステム１４は所有者がマスターキー１０を携帯して車両３のドアに近づけばドアロックが自動で解錠され、遠ざかれば自動で施錠されるキーレスエントリ機能を有している。また、スマートキーシステム１４はマスターキー１０をエンジン始動用シリンダに差し込まなくてもイグニッションノブ（図示省略）を回せばエンジンが始動するイグニッション機能も有している。
【００２０】
以下に詳述すると、マスターキー１０はマイコン１５、受信回路１６及び送信回路１７を内蔵している。受信回路１６は車両３から出力されるリクエスト信号（電波）をアンテナ１８を介して受信し、その信号をマイコン１５に出力する。マイコン１５はリクエスト信号を入力すると、マスターキー１０のＩＤコード（識別コード）に応じたＩＤコード信号を生成し、送信回路１７はその信号を所定の周波数に変調してＩＤコード信号（電波）Ｓａをアンテナ１９を介して外部に送信する。
【００２１】
一方、コントローラ４には照合手段及び制御手段を構成するスマートＥＣＵ２０、送信回路２１及び受信回路２２が搭載されている。送信回路２１はスマートＥＣＵ２０から出力されるリクエスト信号を所定の周波数の電波に変換し、そのリクエスト信号をアンテナ５又はアンテナ６を介して外部に送信する。また、受信回路２２は外部からのＩＤコード信号をアンテナ７を介して受信し、そのＩＤコード信号をパルス信号に変調してスマートＥＣＵ２０に出力する。
【００２２】
スマートＥＣＵ２０はＣＰＵ（図示省略）やメモリ２０ａ等を内蔵し、メモリ２０ａにはＩＤコードが記憶されている。ＩＤコードは車両３に使用されるマスターキーやサブキーに応じて複数存在している。スマートＥＣＵ２０はアンテナ７を介してＩＤコード信号を入力したとき、そのＩＤコードと記憶したＩＤコードとのコード照合を実行する。さらに、スマートＥＣＵ２０はＩＤコード信号に基づき、車両３に搭載されたドアロック駆動装置２３、ステアリングロック駆動装置２４、エンジン制御装置２５を動作させる。
【００２３】
車両３には送信回路２１のアンテナ切換えを行う信号切換スイッチ２６が搭載され、信号切換スイッチ２６はスマートＥＣＵ２０に接続されている。信号切換スイッチ２６は運転者が車両３に乗り込む前の状態のときにオフ信号を、運転者がドア９を開けて車両３に乗り込みドア９が閉じられたときにオン信号をスマートＥＣＵ２０に出力する。そして、スマートＥＣＵ２０は信号切換スイッチ２６からオフ信号を入力したときにはアンテナ５からリクエスト信号を発信させ、信号切換スイッチ２６からオン信号を入力したときにはアンテナ６からリクエスト信号を発信させる。
【００２４】
ここで、スマートキーシステム１４は以下のように動作する。まず、ドア９が施錠されている状態では信号切換スイッチ２６からオフ信号が出力される。そして、スマートＥＣＵ２０はこのオフ信号に基づきアンテナ５からリクエスト信号を間欠的に発信させる。マスターキー１０を所有した運転者が領域Ｅ１（図２参照）内に入ると、マスターキー１０はアンテナ１８によりリクエスト信号を受信し、マイコン１５を作動させてアンテナ１９からＩＤコード信号Ｓａを発信する。即ち、マスターキー１０はスタンバイモードで待機し、リクエスト信号を受信したときのみＩＤコード信号Ｓａを自動で送り返す。
【００２５】
すると、スマートＥＣＵ２０はアンテナ７及び受信回路２２を介してＩＤコード信号Ｓａを入力し、このＩＤコードとメモリ２０ａに記憶したＩＤコードとを照合する。そして、スマートＥＣＵ２０は受信したＩＤコードがメモリ２０ａのＩＤコードと一致し、かつ信号切換スイッチ２６からオフ信号を入力していれば、ドアロック駆動装置２３を作動してドアロックを解錠する。一方、スマートＥＣＵ２０は２つのＩＤコードが一致しなければドアロックを施錠したままにする。従って、運転者はこのスマートエントリ機能によってキー操作無しでドアロックの解錠が自動で行える。
【００２６】
続いて、運転者が運転席に乗り込みドア９が閉じられると、信号切換スイッチ２６はオン信号を出力し、スマートＥＣＵ２０はこのオン信号に基づきアンテナ５に代えてアンテナ６からリクエスト信号を間欠的に発信させる。そして、マスターキー１０は領域Ｅ２（図２参照）内でアンテナ１８からのリクエスト信号を受信し、マイコン１５を作動してアンテナ１９からＩＤコード信号Ｓａを発信する。そして、スマートＥＣＵ２０はアンテナ７及び受信回路２２を介してＩＤコード信号Ｓａを入力し、このＩＤコードと予め記憶したＩＤコードとを照合する。
【００２７】
このとき、スマートＥＣＵ２０は受信したＩＤコードがメモリ２０ａのＩＤコードと一致し、かつ信号切換スイッチ２６からオン信号を入力していればエンジン始動を許可する。即ち、スマートＥＣＵ２０はステアリングロック駆動装置２４を駆動してステアリングロック（図示省略）を解錠し、エンジン制御装置２５にエンジン始動許可信号を出力する。そして、エンジン制御装置２５はエンジン始動許可信号に基づき、イグニッションノブが回されたときに燃料噴射及びエンジン点火を行ってエンジンを始動させる。このため、マスターキー１０を所有した運転者はキーを機械操作することなく、このイグニッション機能によりイグニッションノブ（図示省略）を回すだけでエンジン始動が行える。
【００２８】
一方、スマートＥＣＵ２０は信号切換スイッチ２６からオン信号を入力していても、２つのＩＤコードが一致していなければ、イモビライザー機能を作動してエンジン始動を許可しない。即ち、スマートＥＣＵ２０はエンジン制御装置２５にエンジン始動許可信号を出力せず、エンジン制御装置２５はイグニッションノブが回されても燃料噴射（又はエンジン点火）を行わずエンジンを始動させない。このため、マスターキー１０のＩＤコードとスマートＥＣＵ２０のＩＤコードとが一致しなければイグニッション機能が作動しないため、マスターキー１０を所有しない第３者によって勝手にエンジンがかけられずに済む。
【００２９】
ところで、マスターキー１０のマイコン１５は電池（図示省略）によって作動しており、マスターキー１０は電池が切れるとリクエスト信号を受信してもＩＤコード信号Ｓａを発信できず、コード照合が実行不可能となる。そこで電子キーシステム１はこれに応じたイモビライザーシステム２７を備えている。以下に詳述すると、マスターキー１０には１つのＩＣチップからなるトランスポンダ２８が内蔵されている。トランスポンダ２８はコイルアンテナ２９、電力回路３０及びトランスポンダ制御回路３１を備えている。
【００３０】
アンテナ２９は領域Ｅ３（図２参照）内において車両３からの駆動電波（電磁界）を受信し、電力回路３０はその駆動電波に基づき電力を生成してトランスポンダ制御回路３１に電力を供給する。トランスポンダ制御回路３１にはメモリ３２が内蔵され、メモリ３２にはトランスポンダ用のＩＤコードが記憶されている。そして、トランスポンダ制御回路３１は電力回路３０からの電力を電源としてＩＤコードに応じたトランスポンダ信号を生成し、その信号を変調して所定の周波数の電波に変換したトランスポンダ信号（電波）Ｓｂをアンテナ２９を介して外部に発信させる。
【００３１】
一方、コントローラ４には照合手段及び制御手段を構成するイモビＥＣＵ３３、トランスポンダ送受信回路３４及び増幅回路３５が搭載されている。トランスポンダ送受信回路３４はイモビＥＣＵ３３から出力される制御信号に基づきアンテナ８に電磁界を発生させ、アンテナ８は電磁界の発生に伴い駆動電波を外部に発信する。また、トランスポンダ送受信回路３４は外部からのトランスポンダ信号をアンテナ８を介して受信し、そのトランスポンダ信号をパルス信号に復調するとともに増幅回路３５により増幅してイモビＥＣＵ３８に出力する。
【００３２】
イモビＥＣＵ３３はＣＰＵ（図示省略）やメモリ３３ａ等を内蔵し、メモリ３３ａにはＩＤコードが記憶されている。ＩＤコードは車両に使用されるマスターキーやサブキーに応じて複数存在している。イモビＥＣＵ３３は外部からアンテナ８を介してトランスポンダ信号を受信したとき、受信したトランスポンダ信号のＩＤコードとメモリ３３ａのＩＤコードとを照合する。そして、イモビＥＣＵ３３は２つのＩＤコードが不一致のときにエンジン始動許可信号をエンジン制御装置２５に出力せず、２つのＩＤコードが一致したときに暗号化したエンジン始動許可信号をエンジン制御装置２５に出力する。
【００３３】
ここで、マスターキー１０の電池が切れた場合、イモビライザーシステム２７は以下のように動作する。まず、車外にいる運転者が運転席に乗り込み、マスターキー１０のキープレート１０ａをエンジン始動用シリンダに差し込む。そして、マスターキー１０が領域Ｅ３（図２参照）内に入ったとき、トランスポンダ２８はアンテナ２９から間欠的に発信された駆動電波を受信し、トランスポンダ制御回路３１を作動してアンテナ２９からトランスポンダ信号Ｓｂを自動で発信させる。
【００３４】
すると、イモビＥＣＵ３３はアンテナ８、トランスポンダ送受信回路３４及び増幅回路３５を介してトランスポンダ信号Ｓｂを入力し、このＩＤコードとメモリ３３ａのＩＤ別コードとを照合する。イモビＥＣＵ３３は受信したＩＤコードがメモリ３３ａのＩＤコードと不一致であればエンジン始動を許可せず、エンジン始動許可信号をエンジン制御装置２５に出力しない。このため、エンジン制御装置２５はエンジン始動許可信号の不入力により、イグニッションノブやキーが操作されてもエンジン点火や燃料噴射を強制的にカットしてエンジンを始動させない。従って、合鍵や配線直結に対応した盗難防止効果が非常に高いものとなる。
【００３５】
一方、イモビＥＣＵ３３は２つのＩＤコードが一致すればエンジン始動を許可し、エンジン始動許可信号をエンジン制御装置２５に出力する。そして、エンジン制御装置２５はエンジン始動許可信号に基づきエンジン始動が許可された状態となり、イグニッションノブやキー操作がなされれば、その度にエンジン点火を行ってエンジンを始動させる。なお、ステアリングロック駆動装置２４はハンドル横のエンジン始動用シリンダにマスターキー１０を挿し込んだ際に、マスターキー１０の鍵溝がシリンダ側と一致したときに解錠される。
【００３６】
また、第１サブキー１１はキー操作としてスマートキーシステム１４の動作が可能なキーである。第１サブキー１１はマイコン３６、受信回路３７及び送信回路３８を内蔵し、第１サブキーのＩＤコードをＩＤコード信号Ｓｃに乗せて外部に発信する。第２及び第３サブキー１２，１３はキー操作としてエンジン始動のみが可能なキーである。第２サブキー１２はトランスポンダ４１を内蔵し、トランスポンダ４１から第２サブキー１２のＩＤコードをトランスポンダ信号Ｓｄに乗せて外部に発信する。第３サブキー１３もトランスポンダ４２を内蔵し、トランスポンダ４２から第３サブキーのＩＤコードをトランスポンダ信号Ｓｅに乗せて外部に発信する。
【００３７】
車両３には車載端末４３〜４５が搭載され、この車載端末４３〜４５にはカーナビゲーションシステム（以下、カーナビと記す）４３、ＥＴＣ用車載器４４及び緊急通報システム４５がある。これら車載端末４３〜４５は車載ＬＡＮ４６を通じてスマートＥＣＵ２０及びイモビＥＣＵ３３に接続されている。カーナビ４３は運転者を目的地まで誘導するシステム、ＥＴＣ用車載器４４は有料道路の料金所ゲートに設置したアンテナと通信を行う機器、緊急通報システム４５は手動又はエアバックと連動して、運転中に交通事故や急病が発生した際に車両位置やＩＤ情報を救急センターに送信するシステムである。
【００３８】
スマートＥＣＵ２０は外部から受信したＩＤコード信号のＩＤコードとメモリ２０ａのＩＤコードとを照合したとき、照合結果に基づくアクセス権限情報を車載ＬＡＮ４６を介して車載端末４３〜４５に出力する。本例では、スマートＥＣＵ２０はマスターキー１０からＩＤコードを入力したとき、全ての車載端末４３〜４５の使用を許可するアクセス権限情報Ｘを出力する。また、スマートＥＣＵ２０は第１サブキーからＩＤコードを入力したとき、全ての車載端末４３〜４５の使用を許可しないアクセス権限情報Ｙを出力する。
【００３９】
同様に、イモビＥＣＵ３３は外部から受信したトランスポンダ信号のＩＤコードとメモリ３３ａのＩＤコードとを照合したとき、照合結果に基づくアクセス権限情報を車載ＬＡＮ４６を介して車載端末４３〜４５に出力する。本例では、イモビＥＣＵ３３は第２サブキー１２からＩＤコードを入力したとき、全ての車載端末４３〜４５の使用を許可しないアクセス権限情報Ｙを出力する。また、イモビＥＣＵ３３は第３サブキー１３からＩＤコードを入力したとき、カーナビ５１だけ使用を許可するアクセス権限情報Ｚを出力する。
車載端末４３〜４５はアクセス権限情報Ｘを入力したとき、そのアクセス権限情報に基づいて使用可能な状態となる。一方、車載端末４３〜４５はアクセス権限情報Ｙを入力したとき、そのアクセス権限情報Ｙに基づき使用不可能な状態となる。この使用不可能な状態としては、例えば電源スイッチを押しても機器が起動しない状態や、初期画面（例えば待受け画面）のみが表示され、その下位層に進めない状態のことをいう。また、車載端末４３〜４５はアクセス権限情報Ｚを入力したとき、カーナビ５１のみが起動し、残りのＥＴＣ用車載器４４と緊急通報システム４５が使用不可能な状態となる。
【００４０】
次に、スマートＥＣＵ２０又はイモビＥＣＵ３３がアクセス権限情報を出力するときの動作を以下に説明する。まず、マスターキー１０を用いてキー操作する場合、マスターキー１０を所有した運転者が領域Ｅ１（図２参照）に入り込むと、スマートＥＣＵ２０はマスターキー１０からＩＤコードを入力してドアロックを解錠するとともに、車載ＬＡＮ５４にアクセス権限情報Ｘを出力する。このとき、車載端末４３〜４５はアクセス権限情報Ｘを基にして通常通りに起動して使用可能な状態となり、マスターキー１０を所有していれば全ての車載端末４３〜４５が使用可能となる。
【００４１】
一方、第１サブキー１１を用いてキー操作する場合、第１サブキー１１を所有した運転者が領域Ｅ１（図２参照）に入り込むと、スマートＥＣＵ２０は第１サブキー１１からＩＤコードを入力してドアロックを解錠するとともに、車載ＬＡＮ５４にアクセス権限情報Ｙを出力する。このとき、車載端末４３〜４５はアクセス権限情報Ｙを基にして使用不可能な状態となる。従って、車両３を他人に貸し出すことがあっても、第１サブキー１１を渡せばスマートキーシステム１４のみの使用が許可され、車載端末４３〜４５を他人に使用されずに済む。
【００４２】
また、第２サブキー１２を用いてキー操作する場合、第２サブキー１２がエンジン始動用シリンダに差し込まれると、イモビＥＣＵ３３は第２サブキー１２からＩＤコードを入力してエンジン始動を許可するとともに、車載ＬＡＮ５４にアクセス権限情報Ｙを出力する。このとき、車載端末４３〜４５はアクセス権限情報Ｙを基にして使用不可能な状態となる。従って、車両３を他人に貸し出すことがあっても、第２サブキー１２を渡せばエンジン始動のみが許可され、車載端末４３〜４５を他人に使用されずに済む。
【００４３】
さらに、第３サブキー１３を用いてキー操作する場合、第３サブキー１３がエンジン始動用シリンダに差し込まれると、イモビＥＣＵ３３は第３サブキー１３からＩＤコードを入力してエンジン始動を許可するとともに、車載ＬＡＮ５４にアクセス権限情報Ｚを出力する。このとき、カーナビ４３はアクセス権限情報Ｙを基にして使用可能な状態となり、ＥＴＣ用車載器４４及び緊急通報システム４５はアクセス権限情報Ｙを基にして使用不可能な状態となる。従って、車両３を他人に貸し出すことがあっても、第３サブキー１３を渡せばエンジン始動とカーナビ４３の使用が許可され、ＥＴＣ用車載器４４と緊急通報システム４５を他人に使用されずに済む。
【００４４】
従って、サブキー１１〜１３を使用した場合には、スマートＥＣＵ２０やイモビＥＣＵ３３によって車載端末４３〜４５に使用制限がかけられるので、サブキー１１〜１３の所有者は自由に車載端末４３〜４５を使用できない。このため、他人にキーを貸し出すことがあっても、サブキー１１〜１３を貸し出せば車載端末４３〜４５が勝手に使用されずに済み、例えばカーナビ４３で個人情報が閲覧・編集されたり、ＥＴＣ用車載器４４や緊急通報システム４５で利用履歴が見られたりすることがなくなって、他人に安心してキーを預けられる。
【００４５】
従って、この実施の形態では以下のような効果を得ることができる。
（１）サブキー１１〜１３を使用した場合には、スマートＥＣＵ２０やイモビＥＣＵ３３によってサブキー１１〜１３に応じた車載端末４３〜４５に使用制限がかけられる。従って、他人にキーを貸し出すことがあっても、サブキー１１〜１３を貸し出せば車載端末４３〜４５が勝手に使用されずに済み、他人に安心してキーを預けることができる。
【００４６】
（２）サブキー１３を使用した場合には、車載端末４３〜４５のうちカーナビ４３のみが起動し、ＥＴＣ用車載器４４と緊急通報システム４５は起動しない。このため、サブキー１３を貸し出せば車載端末４３〜４５のうちカーナビ４３のみ使用を許可することができる。従って、サブキーを用いて車両３を動かすときに、場合によっては車載端末４３〜４５のうち所定のものを動作させる必要がでてくるが、この場合においても対応することができる。
【００４７】
（３）車載端末４３〜４５はサブキー１１〜１３使用時の使用制限として、装置自体が起動しない方法をとっているので、サブキー１１〜１３を渡した場合には他人によって車載端末４３〜４５を全く動作させずに済む。
【００４８】
（４）サブキー１１〜１３によって車載端末４３〜４５に使用制限がかけられるので、車他人にキーを預ける場合にはサブキー１１〜１３を渡せば他人に車載端末４３〜４５を操作されずに済む。
【００４９】
（５）ＥＴＣ用車載器４４の使用を制限するので、他人にキーを預けて高速道路を走らせる場合には、ＥＴＣ用車載器４４の使用制限がかけられたサブキー１１〜１３を渡せば、高速道路の料金がＥＴＣにより支払われる心配がなくなる。
【００５０】
なお、実施形態は前記に限定されず、以下の態様に変更してもよい。
・　サブキー１１〜１３によって使用が制限される車載端末は適宜変更してもよい。例えば、第１サブキー１１ではカーナビ４３のみ使用不可とし、第２サブキー１２ではカーナビ４３とＥＴＣ用車載器４４を使用不可とし、第３サブキー１３ではＥＴＣ用車載器４４と緊急通報システム４５を使用不可とするように、使用制限がかかる車載端末の組み合わせを自由に変更してもよい。
【００５１】
・　サブキー１１〜１３がそれぞれ有するキー操作機能は、スマートキーシステム１４やイモビライザーシステム２７のどちらでもよい。即ち、第１サブキー１１はトランスポンダ信号を発信してイモビライザーシステム２７を作動させるキーでもよい。また、同様に第２サブキー１２や第３サブキー１３はＩＤコード信号を発信してスマートキーシステム１４を作動させるキーでもよい。
【００５２】
・　サブキーはサブキー１１〜１３の３つであることに限定されず、３つ以外の例えば１つ、２つ、４つからなる構成でもよい。
・　マスターキー１０は１つのキーでスマートキーシステム１４と、イモビライザーシステム２７との両方が実行可能であることに限定されない。例えば、スマートキーシステム１４を作動する携帯機と、トランスポンダ２８を内蔵してイモビライザーシステム２７を作動するイグニッションキーとで別々に分かれていてもよい。
【００５３】
・　車載端末はカーナビ４３、ＥＴＣ用車載器４４、緊急通報システム４５に限定されない。例えば、インターネットを介して楽曲をダウンロードするシステムや、商品の購買の際に自動で支払いを行うシステムなどを採用してもよい。
【００５４】
・　サブキー１１〜１３使用時の車載端末４３〜４５の使用制限は、車載端末４３〜４５を起動させない方法や、初期画面のみ立ち上げる方法に限らず、車載端末４３〜４５を使用できない状態にするのであればその方法は特に限定されない。
【００５５】
・　ステアリングロックはスマートＥＣＵ２０やイモビＥＣＵ３３により自動で解錠・施錠されることに限定されない。例えば、電子キー２のキープレートをエンジン始動用シリンダに差し込み、その鍵溝がシリンダ側と一致して回されたときに手動で解錠されてもよい。
【００５６】
・　電子キー２は鍵状のものに限らず、ＩＤ発信機や携帯電話などＩＤコードを発信できるものであれば、コード発信元は特に限定されない。
・　電子キー２は無線通信によりＩＤコードを送信することに限定されず、例えば生体通信によりＩＤコードを通信するものでもよい。即ち、ＩＤコードを記憶した記憶体を所有した運転者がドアに触れたときに、人体を通じて車両３側にＩＤコードが送信されてもよい。
【００５７】
・　車両は自動車に限らず、例えば二輪車や産業車両などでもよく、車両の種類は特に限定されない。
前記実施形態及び別例から把握できる請求項以外の技術的思想について、以下にその効果とともに記載する。
【００５８】
（１）請求項１〜４において、前記制御手段は前記車載端末の動作制限として、前記車載端末を電源スイッチが押されても起動させない状態にする。
（２）請求項１〜４において、前記信号出力手段は外部からの電磁界に応答して前記電磁界によって起電力を誘起し、前記起電力を電源に前記送信信号としてトランスポンダ信号を出力し、前記制御手段は前記トランスポンダ信号のコードと、予め登録された前記コードとを照合する。
【００５９】
【発明の効果】
以上詳述したように本発明によれば、車載端末の動作が制限されるので、他人にキーを貸し出すときにはこの電子キーを渡せば車載端末を自由に使用させずに済み、安心して他人にキーを貸し出すことができる。
【図面の簡単な説明】
【図１】一実施形態における電子キーシステムの電気的な構成図。
【図２】電子キーシステムの全体構成を示す模式図。
【図３】電子キーを示す斜視図。
【符号の説明】
１…電子キーシステム、２…電子キー、３…車両、１０…マスターキー、１１〜１３…サブキー、２０…照合手段及び制御手段を構成するスマートＥＣＵ、３３…照合手段及び制御手段を構成するイモビＥＣＵ、４３〜４５…車載端末。
【図１】
2004025937.tif 000003
【図２】
2004025937.tif 000004
【図３】
2004025937.tif 000005